(57)【特許請求の範囲】
【請求項１】
アクセスポイント機能を有する無線接続装置であって、
前記無線接続装置を、アクセスポイント機能を有する他の無線接続装置に対して、無線通信のクライアントとして接続させるための接続制御部と、
前記他の無線接続装置が提供する方式であって、前記他の無線接続装置が、前記クライアントとして接続されている装置に対して無線通信に関する設定情報を送信することで前記クライアントへの無線通信の設定を実施する方式を使用して、前記他の無線接続装置から、前記他の無線接続装置に設定されている前記設定情報を取得する取得部と、
前記取得された設定情報を、前記無線接続装置に予め設定されている前記設定情報とは区別して記憶する記憶部と、
を備え、
前記無線接続装置は、
前記取得部による前記設定情報の取得が終了した後に、前記取得された設定情報を用いてアクセスポイントとして起動し、
前記他の無線接続装置のセキュリティに関する設定内容に応じて、前記取得された設定情報の前記記憶部への記憶と、前記取得された設定情報を用いた起動と、のうちの少なくともいずれか一方を省略する、無線接続装置。
【請求項２】
請求項１に記載の無線接続装置であって、
前記取得部は、前記他の無線接続装置が対応している全ての周波数帯の前記設定情報を一時に取得する、無線接続装置。
【請求項３】
請求項１に記載の無線接続装置であって、
前記取得部は、前記他の無線接続装置が対応している複数の周波数帯の前記設定情報を順次取得する、無線接続装置。
【請求項４】
請求項３に記載の無線接続装置であって、さらに、
前記他の無線接続装置から発信される無線標識に基づいて、前記他の無線接続装置が対応している前記周波数帯を検出する検出部を備える、無線接続装置。
【請求項５】
請求項３または請求項４に記載の無線接続装置であって、
前記接続制御部は、前記接続の際に、前記取得部が前記設定情報を取得する周波数帯を使用する、無線接続装置。
【請求項６】
請求項１から５のいずれか一項に記載の無線接続装置であって、さらに、
前記無線接続装置の利用者に対して、前記接続のための案内と、前記取得のための案内と、のうちの少なくともいずれか一方を行う案内部を備える、無線接続装置。
【請求項７】
請求項３に従属する請求項６に記載の無線接続装置であって、
前記案内部は、一の周波数帯の前記設定情報に対する前記取得が終了した後、前記複数の周波数帯の前記設定情報の中で、未だ前記取得がされていない設定情報がある場合に、その旨を前記利用者へ案内する、無線接続装置。
【請求項８】
請求項１から請求項７のいずれか一項に記載の無線接続装置であって、
前記記憶部には、さらに、前記他の無線接続装置による認証のための認証情報の候補が予め記憶され、
前記取得部は、さらに、前記認証情報の候補を用いて、前記他の無線接続装置から、前記他の無線接続装置に設定されている前記無線通信に関する設定情報以外の他の設定情報を取得する、無線接続装置。
【請求項９】
請求項１から請求項８のいずれか一項に記載の無線接続装置であって、
前記取得部は、さらに、前記他の無線接続装置のセキュリティに関する設定内容に応じて、前記他の無線接続装置が対応している全ての周波数帯の前記設定情報を一時に取得するか、前記他の無線接続装置が対応している複数の周波数帯の前記設定情報を順次取得するかを決定する、無線接続装置。
【請求項１０】
請求項１から請求項９のいずれか一項に記載の無線接続装置であって、
前記接続制御部は、利用者が前記無線接続装置に直接触れる形態または近距離無線通信の形態で与えられる所定のトリガに応じて、前記無線接続装置を、他の無線接続装置に対して無線通信のクライアントとして接続させる、無線接続装置。
【請求項１１】
請求項１から請求項１０のいずれか一項に記載の無線接続装置であって、
前記無線接続装置は、前記取得部による前記設定情報の取得が完了した後であって、前記無線接続装置の電源が再投入されるまでの間における、無線標識の発信と、前記他の無線接続装置や無線端末からの問い合わせに基づく処理と、前記他の無線接続装置や無線端末からの接続要求に基づく処理と、のうちの少なくともいずれかを停止する、無線接続装置。
【請求項１２】
無線通信に関する設定情報を複製する方法であって、
アクセスポイント機能を有する無線接続装置を、アクセスポイント機能を有する他の無線接続装置に対して、無線通信のクライアントとして接続させる工程と、
前記他の無線接続装置が提供する方式であって、前記他の無線接続装置が、前記クライアントとして接続されている装置に対して無線通信に関する設定情報を送信することで前記クライアントへの無線通信の設定を実施する方式を使用して、前記他の無線接続装置から、前記他の無線接続装置に設定されている前記設定情報を取得する工程と、
前記取得された設定情報を、前記無線接続装置に予め設定されている前記設定情報とは区別して記憶する工程と、
前記無線接続装置を、前記設定情報の取得が終了した後に、前記取得された設定情報を用いてアクセスポイントとして起動する工程と、を備え、
前記他の無線接続装置のセキュリティに関する設定内容に応じて、前記記憶する工程と、前記起動する工程と、のうちの少なくともいずれか一方を省略する、方法。
【請求項１３】
ネットワークシステムであって、
アクセスポイント機能を有する無線接続装置と、
アクセスポイント機能を有する他の無線接続装置と、
を備え、
前記他の無線接続装置は、
前記他の無線接続装置に無線通信のクライアントとして接続されている装置に対して、無線通信に関する設定情報を送信することで前記クライアントへの無線通信の設定を実施する設定処理部を備え、
前記無線接続装置は、
前記無線接続装置を、前記他の無線接続装置に対して前記クライアントとして接続させるための接続制御部と、
前記設定処理部から送信された設定情報であって、前記他の無線接続装置に設定されている前記設定情報を取得する取得部と、
前記取得された設定情報を、前記無線接続装置に予め設定されている前記設定情報とは区別して記憶する記憶部と、
を備え、
前記無線接続装置は、
前記取得部による前記設定情報の取得が終了した後に、前記取得された設定情報を用いてアクセスポイントとして起動し、
前記他の無線接続装置のセキュリティに関する設定内容に応じて、前記取得された設定情報の前記記憶部への記憶と、前記取得された設定情報を用いた起動と、のうちの少なくともいずれか一方を省略する、ネットワークシステム。
【発明の詳細な説明】
【技術分野】
【０００１】
本発明は、無線接続装置に関する。
【背景技術】
【０００２】
アクセスポイント等の無線接続装置において、既存の無線接続装置から、新しい無線接続装置への置き換えを行う場合、既存の無線接続装置に設定されている無線通信に関する設定情報を、新しい無線接続装置へ複製する。既存の無線接続装置から新しい無線接続装置に設定情報を複製する際に、例えば、パーソナルコンピュータやスマートフォンを必要とせず、無線接続装置だけで複製の処理を完結させたいという要望がある。
【０００３】
特許文献１には、パーソナルコンピュータ等の外部装置を必要とせずに、無線ＬＡＮアクセスポイント装置間で無線通信に関する設定情報の複製をすることが可能な無線ＬＡＮアクセスポイント装置が記載されている。特許文献２には、他のアクセスポイントに無線通信に関する設定情報を提供するモードと、他のアクセスポイントから設定情報を取得するモードと、のいずれかのモードで動作することが可能なアクセスポイントが記載されている。特許文献３には、スレーブ無線アクセスポイントがマスタ無線アクセスポイントから無線通信に関する設定情報を読み込み、複製することが記載されている。特許文献４には、親機（アクセスポイント）から子機（リピータ）へ、各子機についての機器アドレス情報と無線通信に関する設定情報とを、有線インタフェースを介して送信することが記載されている。特許文献５には、複数のＶｏＩＰ端末が自身の占有帯域幅に関する情報を交換することで、ＶｏＩＰ端末を含む全てのネットワーク機器が自主的にＱｏＳを実施することが記載されている。
【先行技術文献】
【特許文献】
【０００４】
【特許文献１】特開２０１３−１１５５３９号公報
【特許文献２】特開２０１３−０４６２９０号公報
【特許文献３】特開２００６−２８７７８７号公報
【特許文献４】特開２００６−１９７０６０号公報
【特許文献５】特開２００７−３０６５０９号公報
【発明の概要】
【発明が解決しようとする課題】
【０００５】
特許文献１に記載の技術では、設定情報を取得した新しい無線ＬＡＮアクセスポイント装置と、既存の無線ＬＡＮアクセスポイント装置とが、同時に無線通信のアクセスポイントとして動作することにより、無線ＬＡＮが正しく構築できない虞があるという課題があった。特許文献２に記載の技術では、他のアクセスポイントに対する設定情報の送受信は、ＰＬＣ接続を介して行われるため、ＰＬＣ接続を実現するための装置が必要となるという課題があった。特許文献３に記載の技術では、アクセスポイントのグループ化が前提とされており、アクセスポイントの置換については考慮されていない。特許文献４、５に記載の技術では、アクセスポイント同士の設定情報の複製は想定されていない。
【０００６】
このため、他の無線接続装置に設定されている無線通信に関する設定情報を、外部装置や特別な装置を必要とせずに複製することが可能な無線接続装置であって、他の無線接続装置から無線接続装置への置換がなされた後における誤動作のリスクを低減可能な無線接続装置が望まれていた。
【課題を解決するための手段】
【０００７】
本発明は、上述の課題の少なくとも一部を解決するためになされたものであり、以下の形態又は適用例として実現することが可能である。アクセスポイント機能を有する無線接続装置であって、前記無線接続装置を、アクセスポイント機能を有する他の無線接続装置に対して、無線通信のクライアントとして接続させるための接続制御部と、前記他の無線接続装置が提供する方式であって、前記他の無線接続装置が、前記クライアントとして接続されている装置に対して無線通信に関する設定情報を送信することで前記クライアントへの無線通信の設定を実施する方式を使用して、前記他の無線接続装置から、前記他の無線接続装置に設定されている前記設定情報を取得する取得部と、前記取得された設定情報を、前記無線接続装置に予め設定されている前記設定情報とは区別して記憶する記憶部と、を備え、前記無線接続装置は、前記取得部による前記設定情報の取得が終了した後に、前記取得された設定情報を用いてアクセスポイントとして起動し、前記他の無線接続装置のセキュリティに関する設定内容に応じて、前記取得された設定情報の前記記憶部への記憶と、前記取得された設定情報を用いた起動と、のうちの少なくともいずれか一方を省略する、無線接続装置。そのほか、本発明は、以下の形態又は適用例として実現することが可能である。
【０００８】
（１）本発明の一形態によれば、無線接続装置が提供される。この無線接続装置は；前記無線接続装置を、他の無線接続装置に対して無線通信のクライアントとして接続させるための接続制御部と；前記他の無線接続装置が提供する方式であって、前記他の無線接続装置が、前記クライアントとして接続されている装置に対して無線通信に関する設定情報を送信することで前記クライアントへの無線通信の設定を実施する方式を使用して、前記他の無線接続装置から、前記他の無線接続装置に設定されている前記設定情報を取得する取得部と；前記取得された設定情報を、前記無線接続装置に予め設定されている前記設定情報とは区別して記憶する記憶部と、を備える。この形態の無線接続装置によれば、取得部は、他の無線接続装置に対する無線通信のクライアントとしての接続を介して、他の無線接続装置が提供する無線通信の設定を実施する方式を使用して、他の無線接続装置に設定されている設定情報を取得することができる。また、取得された設定情報は、無線接続装置に予め設定されている設定情報とは区別して記憶されるため、他の無線接続装置から無線接続装置への置換のタイミングを制御することが可能となり、他の無線接続装置から無線接続装置への置換がなされた後における誤動作のリスクを低減することができる。さらに、取得された設定情報は、無線接続装置に予め設定されている設定情報とは区別して記憶されるため、他の無線接続装置から無線通信に関する設定情報を取得する前後において、一貫して、無線接続装置に予め設定されている設定情報を維持することができる。これらの結果、他の無線接続装置に設定されている無線通信に関する設定情報を、外部装置や特別な装置を必要とせずに複製することが可能な無線接続装置であって、他の無線接続装置から無線接続装置への置換がなされた後における誤動作のリスクを低減可能な無線接続装置を提供することができる。
【０００９】
（２）上記形態の無線接続装置において；前記取得部は、前記他の無線接続装置が対応している全ての周波数帯の前記設定情報を一時に取得してもよい。この形態の無線接続装置によれば、取得部は、他の無線接続装置が対応している全ての周波数帯の設定情報を一時に取得するため、他の無線接続装置に設定されている設定情報を迅速に取得することができる。
【００１０】
（３）上記形態の無線接続装置において；前記取得部は、前記他の無線接続装置が対応している複数の周波数帯の前記設定情報を順次取得してもよい。この形態の無線接続装置によれば、取得部は、他の無線接続装置が対応している複数の周波数帯の設定情報を順次取得するため、他の無線接続装置に設定されている設定情報を、周波数帯ごとに分割して取得することができる。
【００１１】
（４）上記形態の無線接続装置では、さらに；前記他の無線接続装置から発信される無線標識に基づいて、前記他の無線接続装置が対応している前記周波数帯を検出する検出部を備えていてもよい。この形態の無線接続装置によれば、検出部は、他の無線接続装置から発信される無線標識に基づいて他の無線接続装置が対応している周波数帯を検出することができる。この結果、取得部は、検出部により検出された周波数帯に対して、設定情報の取得を順次試みることができる。
【００１２】
（５）上記形態の無線接続装置において；前記接続制御部は、前記接続の際に、前記取得部が前記設定情報を取得する周波数帯を使用してもよい。この形態の無線接続装置によれば、接続制御部は、無線接続装置が他の無線接続装置に対して接続する際に、取得部が設定情報を取得する周波数帯を使用して接続する。このため、取得部は、他の無線接続装置が提供する方式を利用した設定情報の取得を行うことができる。
【００１３】
（６）上記形態の無線接続装置では、さらに；前記無線接続装置の利用者に対して、前記接続のための案内と、前記取得のための案内と、のうちの少なくともいずれか一方を行う案内部を備えていてもよい。この形態の無線接続装置によれば、案内部は、無線接続装置の利用者に対して、接続のための案内と取得のための案内とのうちの少なくともいずれか一方を実施することができる。この結果、利用者におけるユーザビリティを向上させることができる。
【００１４】
（７）上記形態の無線接続装置において；前記案内部は、一の周波数帯の前記設定情報に対する前記取得が終了した後、前記複数の周波数帯の前記設定情報の中で、未だ前記取得がされていない設定情報がある場合に、その旨を前記利用者へ案内してもよい。この形態の無線接続装置によれば、案内部は、一の周波数帯の設定情報に対する取得が終了した後、複数の周波数帯の設定情報の中で、未だ取得がされていない設定情報がある場合に、その旨を利用者へ案内することができる。この結果、利用者におけるユーザビリティを向上すると共に、他の無線接続装置が対応している複数の周波数帯の設定情報を順次取得する構成における、設定情報の取得漏れの発生を抑制することができる。
【００１５】
（８）上記形態の無線接続装置において；前記記憶部には、さらに、前記他の無線接続装置による認証のための認証情報の候補が予め記憶され；前記取得部は、さらに、前記認証情報の候補を用いて、前記他の無線接続装置から、前記他の無線接続装置に設定されている前記無線通信に関する設定情報以外の他の設定情報を取得してもよい。この形態の無線接続装置によれば、取得部は、記憶部に予め記憶されている認証情報の候補を用いて、他の無線接続装置から、無線通信に関する設定情報以外の他の設定情報を取得することができる。この結果、無線通信に関する設定情報だけでなく、他の設定情報をも複製可能な無線接続装置を提供することが可能となり、使用者におけるユーザビリティをより一層向上させることができる。
【００１６】
（９）上記形態の無線接続装置において；前記取得部は、さらに、前記他の無線接続装置のセキュリティに関する設定内容に応じて、前記他の無線接続装置が対応している全ての周波数帯の前記設定情報を一時に取得するか、前記他の無線接続装置が対応している複数の周波数帯の前記設定情報を順次取得するかを決定してもよい。この形態の無線接続装置によれば、他の無線接続装置のセキュリティに関する設定内容に応じて他の無線接続装置が対応している全ての周波数帯の設定情報を一時に取得するか、順次取得するかを決定することができる。
【００１７】
（１０）上記形態の無線接続装置において；前記接続制御部は、利用者が前記無線接続装置に直接触れる形態または近距離無線通信の形態で与えられる所定のトリガに応じて、前記無線接続装置を、他の無線接続装置に対して無線通信のクライアントとして接続させてもよい。この形態の無線接続装置によれば、利用者は、無線接続装置に直接触れる形態または近距離無線通信の形態を利用して、無線接続装置を他の無線接続装置に接続させることができる。
【００１８】
（１１）上記形態の無線接続装置において；前記無線接続装置は、前記取得部による前記設定情報の取得が終了した後に、前記取得された設定情報を用いてアクセスポイントとして起動してもよい。この形態の無線接続装置によれば、無線接続装置は、取得部による設定情報の取得が終了後、自動的に、取得された設定情報を用いてアクセスポイントとして起動することができる。
【００１９】
（１２）上記形態の無線接続装置において；前記無線接続装置は、前記他の無線接続装置のセキュリティに関する設定内容に応じて、前記取得された設定情報の前記記憶部への記憶と、前記取得された設定情報を用いた起動と、のうちの少なくともいずれか一方を省略してもよい。この形態の無線接続装置によれば、他の無線接続装置のセキュリティに関する設定内容に応じて、取得された設定情報の記憶と、取得された設定情報を用いた起動と、のうちの少なくともいずれか一方を省略することができる。このため、他の無線接続装置のセキュリティが低い場合などに、当該他の無線接続装置の設定情報が無線接続装置にそのまま適用されることを抑制することができる。
【００２０】
（１３）上記形態の無線接続装置において；前記無線接続装置は、前記取得部による前記設定情報の取得が完了した後であって、前記無線接続装置の電源が再投入されるまでの間における、無線標識の発信と、前記他の無線接続装置や無線端末からの問い合わせに基づく処理と、前記他の無線接続装置や無線端末からの接続要求に基づく処理と、のうちの少なくともいずれかを停止してもよい。この形態の無線接続装置によれば、取得部による設定情報の取得が完了した後であって無線接続装置の電源が再投入されるまでの間における、無線標識の発信と、他の無線接続装置や無線端末からの問い合わせに基づく処理と、他の無線接続装置や無線端末からの接続要求に基づく処理と、のうちの少なくともいずれかが停止される。このため、ネットワーク内において同一の設定情報を持つ２つのアクセスポイント（具体的には、無線接続装置と、他の無線接続装置）が存在することに伴う問題の発生を回避することができる。
【００２１】
（１４）本発明の一形態によれば、ネットワークシステムが提供される。このネットワークシステムは；無線接続装置と；他の無線接続装置と、を備え；前記他の無線接続装置は；前記他の無線接続装置に無線通信のクライアントとして接続されている装置に対して、無線通信に関する設定情報を送信することで前記クライアントへの無線通信の設定を実施する設定処理部を備え；前記無線接続装置は；前記無線接続装置を、前記他の無線接続装置に対して前記クライアントとして接続させるための接続制御部と；前記設定処理部から送信された設定情報であって、前記他の無線接続装置に設定されている前記設定情報を取得する取得部と；前記取得された設定情報を、前記無線接続装置に予め設定されている前記設定情報とは区別して記憶する記憶部と、を備える。
【００２２】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２３】
例えば、本発明の一形態は、接続制御部と、取得部と、記憶部と、の３つの要素のうちの一部または全部の要素を備えた方法として実現可能である。すなわち、本装置は、接続制御部を有していてもよく、有していなくてもよい。また、本装置は、取得部を有していてもよく、有していなくてもよい。また、本装置は、記憶部を有していてもよく、有していなくてもよい。こうした装置は、例えば無線接続装置として実現できるが、無線接続装置以外の他の装置としても実現可能である。前述した無線接続装置の各形態の技術的特徴の一部または全部は、いずれもこの装置に適用することが可能である。
【００２４】
本発明は、無線接続装置以外の種々の形態で実現することも可能である。例えば、無線通信に関する設定情報を複製する方法、無線接続装置を含むネットワークシステム、これらの方法の一部または全部を実現するコンピュータプログラム、そのコンピュータプログラムを記録した一時的でない記録媒体等の形態で実現することができる。
【図面の簡単な説明】
【００２５】
【図１】本発明の一実施形態としてのネットワークシステムの概略構成の変化を示す説明図である。
【図２】無線接続装置と他の無線接続装置との構成を機能的に示すブロック図である。
【図３】ＡＯＳＳを利用した複製処理の手順を示すシーケンス図である。
【図４】ＷＰＳを利用した複製処理の手順を示すシーケンス図である。
【図５】他の無線接続装置の対応周波数帯の検出方法について説明するための説明図である。
【図６】第２実施形態におけるネットワークシステムの概略構成の変化を示す説明図である。
【図７】無線接続装置と他の無線接続装置との構成を機能的に示すブロック図である。
【図８】他の設定情報の取得処理の手順を示すシーケンス図である。
【発明を実施するための形態】
【００２６】
次に、本発明の実施の形態を実施形態に基づいて説明する。
【００２７】
Ａ．第１実施形態：
Ａ−１．システムの概略構成：
図１は、本発明の一実施形態としてのネットワークシステムの概略構成の変化を示す説明図である。ネットワークシステム１は、無線接続装置１０と、他の無線接続装置２０とを含んでいる。図１では便宜上、説明上必要としないネットワーク中継装置、回線、端末等については図示を省略している。無線接続装置１０は、ＩＥＥＥ８０２．１１に準拠したアクセスポイント装置である。以降、無線接続装置１０を「ＡＰ１０」とも呼ぶ。同様に、他の無線接続装置２０は、ＩＥＥＥ８０２．１１に準拠したアクセスポイント装置である。以降、他の無線接続装置２０を「ＡＰ２０」とも呼ぶ。無線端末３０は、ＩＥＥＥ８０２．１１に準拠した無線通信インタフェースを備える無線端末である。以降、無線端末３０を「端末３０」とも呼ぶ。
【００２８】
本実施形態では、現在運用中である既存のＡＰ２０（古いＡＰ２０）を、新しいＡＰ１０へ置換する場面を想定する。図１（Ａ）は、既存のＡＰ２０から新しいＡＰ１０へ置換する前のネットワークシステム１の概略構成を表している。図１（Ｂ）は、既存のＡＰ２０から新しいＡＰ１０へ置換した後のネットワークシステム１の概略構成を表している。
【００２９】
図１（Ａ）において、ＡＰ２０は、ルータとしても機能し、有線ケーブルを介してインターネットＩＮＴに接続されている。ＡＰ２０には、ＩＥＥＥ８０２．１１規格に準拠した無線通信を可能とするために、無線通信に関する設定情報が記憶されている。「無線通信に関する設定情報」とは、例えば、無線ＬＡＮ（Local Area Network）の混信を避けるためのＳＳＩＤ（Service Set Identifier）、無線通信における認証／暗号化方式（ＷＥＰ：Wired Equivalent Privacy、ＷＰＡ：Wi-Fi Protected Access、ＷＰＡ２−ＰＳＫ：Wi-Fi Protected Access 2 Pre-Shared Key等）、前記暗号化に使用される暗号鍵等である。
【００３０】
さらに、ＡＰ２０には、外部（インターネットＩＮＴ）との通信を正しく行うために、他の設定情報が記憶されている。「他の設定情報」とは、例えば、ＡＰ２０の外側（インターネットＩＮＴ側）のグローバルＩＰアドレスを含むＷＡＮ（Wide Area Network）設定、ＡＰ２０の内側のプライベートＩＰアドレスを含むＬＡＮ設定、グローバルＩＰアドレスとプライベートＩＰアドレスを相互に変換するためのＮＡＴ（Network Address Translation）設定、通過パケットのフィルタリングを行うためのファイアウォール設定、コンテンツのフィルタリングを行うためのコンテンツフィルタ設定およびペアレンタルコントロール設定、仮想プライベートネットワークを実現するためのＶＰＮ（Virtual Private Network）設定等である。
【００３１】
本実施形態の複製処理では、図１（Ａ）に示す構成において、既存のＡＰ２０に設定されている「無線通信に関する設定情報」を、自動的に新しいＡＰ１０へ複製することができる。複製の完了後、既存のＡＰ２０から新しいＡＰ１０への置換が行われる。置換完了後は、ネットワークシステム１の構成は図１（Ｂ）に示す構成へと変化し、利用者が使用する端末３０と新しいＡＰ１０との無線通信が可能となる。なお、無線通信に関する設定情報と他の設定情報との両方を新しいＡＰ１０へ複製する例については、後述の第２実施形態で説明する。
【００３２】
Ａ−２．ＡＰの概略構成：
図２は、ＡＰ１０とＡＰ２０との構成を機能的に示すブロック図である。図２（Ａ）はＡＰ１０の構成を示し、図２（Ｂ）はＡＰ２０の構成を示している。
【００３３】
Ａ−２−１．ＡＰ１０の概略構成：
新しいＡＰ１０は、ＣＰＵ１１０と、設定ボタン１２０と、ＲＡＭ１３０と、無線通信インタフェース（Ｉ／Ｆ）１４０と、有線通信インタフェース（Ｉ／Ｆ）１５０と、フラッシュＲＯＭ１６０と、インジケータ１７０と、を備え、各構成要素はバスにより相互に接続されている。
【００３４】
ＣＰＵ１１０は、フラッシュＲＯＭ１６０に格納されているコンピュータプログラムをＲＡＭ１３０に展開して実行することにより、ＡＰ１０を制御する。また、ＣＰＵ１１０は、中継処理部１１１、ＳＴＡ（Station）側ＡＯＳＳ処理部１１２、ＳＴＡ側ＷＰＳ処理部１１３、接続制御部１１４、検出部１１５、案内部１１６の各機能を実現する。
【００３５】
中継処理部１１１は、ＡＰ１０が受信したパケットを宛先に応じて転送する中継処理を実行する。
【００３６】
ＳＴＡ側ＡＯＳＳ処理部１１２は、ＡＯＳＳ（AirStation One-Touch Secure System、ＡＯＳＳは登録商標）を利用した複製処理のクライアント（子機）として動作する機能部である。ＳＴＡ側ＷＰＳ処理部１１３は、ＷＰＳ（Wi-Fi Protected Setup）を利用した複製処理のクライアント（子機）として動作する機能部である。ここで、ＡＯＳＳおよびＷＰＳとは、いずれも、アクセスポイント（親機）が、無線通信に関する設定情報をクライアントへ自動的に設定させる機能であり、従来から知られた機能である。ＡＯＳＳ機能およびＷＰＳ機能はいずれも、以下のａ１〜ａ３に示す処理を実現する。
（ａ１）アクセスポイントが、所定のトリガの発生を契機として、クライアントとしての装置（以降「クライアント装置」とも呼ぶ。）との間で、一時的な通信を確立する。
（ａ２）アクセスポイントが、確立された一時的な通信を介して、クライアント装置に対して、無線通信に関する設定情報を送信する。
（ａ３）クライアント装置が、受信した無線通信に関する設定情報を保存する。
ただし、ＷＰＳ機能では、アクセスポイントが対応している周波数帯が複数存在する場合であっても、上記処理ａ２において、一の周波数帯に対応した設定情報しか送信することができない場合がある。以降の実施形態では、ＷＰＳ機能の処理ａ２において、一の周波数帯に対応した設定情報しか送信することができないことを前提として説明する。
【００３７】
本実施形態において、ＳＴＡ側ＡＯＳＳ処理部１１２およびＳＴＡ側ＷＰＳ処理部１１３は、ＡＰ２０に設定されている無線通信に関する設定情報を取得する「取得部」として機能する。
【００３８】
接続制御部１１４は、無線通信インタフェース１４０を介しての、ＩＥＥＥ８０２．１１に準拠した無線通信の接続を制御する。接続制御部１１４は、ＡＰ側接続制御部１１４ｘと、ＳＴＡ側接続制御部１１４ｙとを含んでいる。ＡＰ側接続制御部１１４ｘは、例えば端末３０（図１（Ｂ））等の他の装置を、無線通信のクライアントとしてＡＰ１０へ接続させる。この場合、ＡＰ１０が無線通信のアクセスポイントとして動作する。ＳＴＡ側接続制御部１１４ｙは、例えばＡＰ２０等、他の無線接続装置である無線通信のアクセスポイントに対するクライアントとして、ＡＰ１０を接続させる。この場合、ＡＰ１０が無線通信のクライアントとして動作する。
【００３９】
検出部１１５は、例えばＡＰ２０等の他の無線接続装置から発信されるビーコンに基づいて、他の無線接続装置が対応している電波の周波数帯を検出する。以降、ビーコンのことを「無線標識」とも呼ぶ。
【００４０】
案内部１１６は、インジケータ１７０を制御して、ＡＰ１０の利用者に対して複製処理に関する案内を行う。本実施形態において、複製処理に関する案内とは、ＡＰ１０とＡＰ２０との間の接続のための案内と、ＡＰ１０がＡＰ２０から無線通信に関する設定情報を取得するための案内と、を含む。
【００４１】
設定ボタン１２０は、ＡＰ１０の筐体に設けられたスイッチである。本実施形態では、設定ボタン１２０の押下が検出された時間が所定の閾値以下である場合、周知のＡＯＳＳまたはＷＰＳが開始される。一方、設定ボタン１２０の押下が検出された時間が所定の閾値以上である場合、ＡＯＳＳまたはＷＰＳを利用した複製処理が開始される。なお、所定の閾値は任意に定めることができる。また、設定ボタン１２０は、状態を維持しないスイッチにより実現されることが好ましい。
【００４２】
無線通信インタフェース１４０は、図示しない送受信回路を含み、アンテナを介して受信した電波の復調とデータの生成、および、アンテナを介して送信する電波の生成と変調を行う機能を有する。本実施形態の無線通信インタフェース１４０は、２．４ＧＨｚと、５ＧＨｚとの２つの周波数帯を使用した電波の送信が可能である。
【００４３】
有線通信インタフェース１５０は、インターネットＩＮＴ（図１）側の回線と接続されるほか、有線ケーブルを通じてＬＡＮ内の他の装置（例えばＮＡＳやパーソナルコンピュータ等）と接続される。有線通信インタフェース１５０は、図示しないＰＨＹ／ＭＡＣコントローラを含み、受信した信号の波形を整えるほか、受信した信号からＭＡＣフレームを取り出す機能を有する。
【００４４】
フラッシュＲＯＭ１６０には、プリセット設定情報１６１と、設定情報記憶領域１６２とが含まれている。プリセット設定情報１６１には、ＡＰ１０の工場出荷時において、予め設定された無線通信に関する設定情報が記憶されている。設定情報記憶領域１６２は、複製処理においてＡＰ２０から取得した無線通信に関する設定情報を記憶させるための領域である。なお、フラッシュＲＯＭ１６０は「記憶部」として機能する。
【００４５】
インジケータ１７０はＬＥＤ（Light Emitting Diode）、ＬＣＤ（Liquid Crystal Display）、液晶画面などで構成される。ＬＥＤによる案内の場合、色、点灯／点滅／消灯の状態や、点滅パターン等により案内情報を表示する。ＬＣＤや液晶画面を用いる場合、文字や絵を用いて案内情報を表示する。
【００４６】
Ａ−２−２．ＡＰ２０の概略構成：
既存のＡＰ２０は、ＣＰＵ２１０と、設定ボタン２２０と、ＲＡＭ２３０と、無線通信インタフェース２４０と、有線通信インタフェース２５０と、フラッシュＲＯＭ２６０と、を備え、各構成要素はバスにより相互に接続されている。
【００４７】
ＣＰＵ２１０は、フラッシュＲＯＭ２６０に格納されているコンピュータプログラムをＲＡＭ２３０に展開して実行することにより、ＡＰ２０を制御する。また、ＣＰＵ２１０は、中継処理部２１１、ＡＰ側ＡＯＳＳ処理部２１２、ＡＰ側ＷＰＳ処理部２１３、ＡＰ側接続制御部２１４の各機能を実現する。
【００４８】
中継処理部２１１は、ＡＰ２０が受信したパケットを宛先に応じて転送する中継処理を実行する。
【００４９】
ＡＰ側ＡＯＳＳ処理部２１２は、ＡＯＳＳを利用した複製処理のアクセスポイント（親機）として動作する機能部である。ＡＰ側ＷＰＳ処理部２１３は、ＷＰＳを利用した複製処理のアクセスポイント（親機）およびレジストラとして動作する機能部である。なお、ＡＰ側ＡＯＳＳ処理部２１２と、ＡＰ側ＷＰＳ処理部２１３とは、いずれか一方を省略してもよい。なお、本実施形態におけるＷＰＳはＷＰＳ−ＰＢＣ（Wi-Fi Protected Setup-Push Button Configuration、プッシュボタン方式によるＷＰＳ）であり、ＡＰ側ＷＰＳ処理部２１３は、アクセスポイントとしての動作に加えて、クライアント装置の登録などを行うレジストラとしても機能する。
【００５０】
ＡＰ側接続制御部２１４は、無線通信インタフェース２４０を介しての、ＩＥＥＥ８０２．１１に準拠した無線通信の接続を制御する。ＡＰ側接続制御部２１４は、例えばＡＰ１０等の他の装置を、無線通信のクライアントとしてＡＰ２０へ接続させる。
【００５１】
認証処理部２１５は、ＡＰ２０の利用者の正当性および権限を認証する認証処理を実行する。認証処理部２１５は、認証に成功した利用者による他の設定情報２６２の閲覧等を許可する。なお、本実施形態では、認証情報として、ユーザＩＤとパスワードの組み合わせを使用する。
【００５２】
設定ボタン２２０は、ＡＰ２０の筐体に設けられたスイッチであり、設定ボタン２２０押下の検出により、ＡＯＳＳまたはＷＰＳが開始される。なお、設定ボタン２２０は、状態を維持しないスイッチにより実現されることが好ましい。
【００５３】
無線通信インタフェース２４０は、図示しない送受信回路を含み、アンテナを介して受信した電波の復調とデータの生成、および、アンテナを介して送信する電波の生成と変調を行う。本実施形態の無線通信インタフェース２４０は、２．４ＧＨｚと、５ＧＨｚとの２つの周波数帯を使用した電波の送信が可能である。
【００５４】
有線通信インタフェース２５０は、インターネットＩＮＴ（図１）側の回線と接続されるほか、有線ケーブルを通じてＬＡＮ内の他の装置（例えばＮＡＳやパーソナルコンピュータ等）と接続される。有線通信インタフェース２５０は、図示しないＰＨＹ／ＭＡＣコントローラを含み、受信した信号の波形を整えるほか、受信した信号からＭＡＣフレームを取り出す。
【００５５】
フラッシュＲＯＭ２６０には、設定情報２６１と、他の設定情報２６２とが含まれている。設定情報２６１には、図１で説明した無線通信に関する設定情報が記憶されている。他の設定情報２６２には、図１で説明した他の設定情報が記憶されている。なお、ＡＰ２０においても、ＡＰ１０と同様のインジケータを有していてもよい。
【００５６】
Ａ−３．複製処理：
以降、本実施形態のＡＰ１０を用いた複製処理の手順について説明する。本実施形態のＡＰ１０が実行可能な複製処理には、以下の２種類が存在する。
・ＡＯＳＳを利用した複製処理
・ＷＰＳを利用した複製処理
どちらの複製処理が実行されるかは、既存のＡＰ２０の構成によって決定される。ＡＰ２０がＡＯＳＳとＷＰＳとの両方に対応している場合、換言すれば、ＡＰ２０がＡＰ側ＡＯＳＳ処理部２１２とＡＰ側ＷＰＳ処理部２１３との両方を備えている場合は、ＡＯＳＳを利用した複製処理が優先して実行される。一方、ＡＰ２０がＷＰＳにしか対応していない場合、換言すれば、ＡＰ２０がＡＰ側ＷＰＳ処理部２１３しか備えていない場合は、ＷＰＳを利用した複製処理が実行される。なお、ＡＰ２０がＡＰ側ＡＯＳＳ処理部２１２とＡＰ側ＷＰＳ処理部２１３との両方を備えている場合であっても、ＡＰ２０のセキュリティ設定の内容、例えば、無線通信における認証／暗号化方式の有無または種類によっては、ＡＯＳＳを利用した複製処理に代えて、ＷＰＳを利用した複製処理が実行されてもよい。具体的には、例えば、無線通信における認証／暗号化方式が無い場合、換言すれば、認証／暗号化方式がＯＰＥＮ設定である場合には、ＷＰＳを利用した複製処理が実行されてもよい。また、無線通信における認証／暗号化方式がＷＰＡ２−ＥＡＰ（Wi-Fi Protected Access 2 Extensible Authentication Protocol）設定である場合には、ＡＯＳＳを利用した複製処理が実行されてもよい。
【００５７】
Ａ−３−１．ＡＯＳＳを利用した複製処理：
図３は、ＡＯＳＳを利用した複製処理の手順を示すシーケンス図である。ステップＳ１０２において利用者は、新しいＡＰ１０の設定ボタン１２０を押下する。
【００５８】
ステップＳ１０４において、所定の閾値を超える時間にわたる設定ボタン１２０の押下を検出したＡＰ１０は、ＡＯＳＳのクライアントとしての動作を開始する。具体的には、ＡＰ１０は、ＳＴＡ側接続制御部１１４ｙを起動することにより、ＡＰ１０をＳＴＡ（Station）モードで起動させる。また、ＡＰ１０は、ＳＴＡ側ＡＯＳＳ処理部１１２を起動することにより、ＡＯＳＳ機能を実現可能とする。その後、ＡＰ１０のＳＴＡ側接続制御部１１４ｙは、ＡＰ（Access Point）スキャンを実施する。ＡＰスキャンとは、電波到達範囲内に存在するアクセスポイントを検出する操作の名称である。なお、本実施形態におけるＡＰスキャンの実行回数は、１度でもよいし複数回でもよい。
【００５９】
ステップＳ１０６においてＡＰ１０の案内部１１６は、ＡＰ１０とＡＰ２０との間の接続のための案内として、インジケータ１７０の点灯または点滅状態をパターン１に変化させる。本実施形態では、インジケータ１７０のパターン１点灯は、利用者に対して「既存のＡＰ２０の設定ボタン２２０を押下すること」を促す意味を持つ。
【００６０】
ステップＳ１０８において利用者は、ステップＳ１０６の案内に従って、ＡＰ２０の設定ボタン２２０を押下する。
【００６１】
ステップＳ１１０において、設定ボタン２２０の押下を検出したＡＰ２０は、ＡＯＳＳのアクセスポイントとしての動作を開始する。具体的には、ＡＰ２０は、ＡＰ側接続制御部２１４を起動することにより、ＡＰ２０をＡＰモードで起動させる。また、ＡＰ２０は、ＡＰ側ＡＯＳＳ処理部２１２を起動することにより、ＡＯＳＳ機能を実現可能とする。
【００６２】
ステップＳ１１４においてＡＰ１０のＳＴＡ側接続制御部１１４ｙは、ＡＰスキャンを繰り返し行い、ＡＰモードで起動されたＡＰ２０を検出する。その後、ＳＴＡ側接続制御部１１４ｙは、検出されたＡＰ２０に対して、任意の周波数帯を使用してＡＯＳＳ接続を行う。この結果、ＡＰ１０とＡＰ２０との間で、上述の処理ａ１で説明した一時的な通信が確立される。
【００６３】
ステップＳ１１６においてＡＰ１０の案内部１１６は、無線通信に関する設定情報を取得するための案内として、インジケータ１７０の点灯または点滅状態をパターン２に変化させる。本実施形態では、インジケータ１７０のパターン２点灯は、利用者に対して「既存のＡＰ２０から新しいＡＰ１０への無線通信に関する設定情報の複製中（すなわちＡＰ２０からＡＰ１０への引っ越し中）であること」を通知する意味を持つ。
【００６４】
ステップＳ１１８においてＡＰ２０のＡＰ側ＡＯＳＳ処理部２１２は、ＡＰ１０に対して、ＡＰ２０が対応している全ての周波数帯の無線通信に関する設定情報を送信する。ステップＳ１１８における情報の送信は、上述の処理ａ２で説明したＡＯＳＳ機能を利用して行われる。
【００６５】
ステップＳ１２０においてＡＰ１０のＳＴＡ側ＡＯＳＳ処理部１１２は、ＡＰ２０から無線通信に関する設定情報を取得する。ＳＴＡ側ＡＯＳＳ処理部１１２は、取得した無線通信に関する設定情報を設定情報記憶領域１６２に保存する。ＳＴＡ側ＡＯＳＳ処理部１１２は、ＳＴＡ側接続制御部１１４ｙに、ＡＰ２０との間で確立した一時的な通信を切断させた後、処理を終了する。
【００６６】
ステップＳ１２２においてＡＰ２０のＡＰ側ＡＯＳＳ処理部２１２は、ＡＰ側接続制御部２１４に、ＡＰ１０との間で確立した一時的な通信を切断させた後、処理を終了する。
【００６７】
ステップＳ１２４においてＡＰ１０の案内部１１６は、無線通信に関する設定情報を取得するための案内として、インジケータ１７０の点灯または点滅状態をパターン３に変化させる。本実施形態では、インジケータ１７０のパターン３点灯は、利用者に対して「既存のＡＰ２０から新しいＡＰ１０への無線通信に関する設定情報の複製が終了（すなわちＡＰ２０からＡＰ１０への引っ越しが終了）したこと」を通知する意味を持つ。
【００６８】
ステップＳ１２６においてＡＰ１０は、ＳＴＡ側接続制御部１１４ｙの処理を終了させることで、ＡＰ１０のＳＴＡモードを終了する。
【００６９】
ステップＳ１２８においてＡＰ１０は、設定情報記憶領域１６２の設定情報を適用したＡＰモードで起動する。具体的には、ＡＰ１０は、ＡＰ側接続制御部１１４ｘを起動することにより、ＡＰ１０をＡＰモードで起動させる。また、ＡＰ側接続制御部１１４ｘの処理に使用される情報として、設定情報記憶領域１６２に記憶されている設定情報、すなわち、ＡＰ２０が対応していた全ての周波数帯の無線通信に関する設定情報を適用する。
【００７０】
このように、ＡＯＳＳを利用した複製処理では、新しいＡＰ１０のＳＴＡ側ＡＯＳＳ処理部１１２（取得部）は、既存のＡＰ２０（他の無線接続装置）が対応している全ての周波数帯の無線通信に関する設定情報を一時に取得するため、ＡＰ２０に設定されている設定情報を迅速に取得することができる。なお、上記処理におけるインジケータの点灯パターン１〜３は、相互に識別可能な態様である限り、任意の色および点灯パターンの組み合わせを採用可能である。
【００７１】
Ａ−３−２．ＷＰＳを利用した複製処理：
図４は、ＷＰＳを利用した複製処理の手順を示すシーケンス図である。図３に示したＡＯＳＳを利用した複製処理との違いは、ステップＳ１０４、Ｓ１１０、Ｓ１１４、Ｓ１１８、Ｓ１２０、Ｓ１２２に代えて、ステップＳ２０２〜Ｓ２３０を備える点である。以降、図３と同じステップ番号を持つ処理については、内容を省略して記載するが、詳細は図３と同様である。なお、図４に示す例は、ＷＰＳ機能の処理ａ２において、一の周波数帯に対応した設定情報しか送信することができない場合の処理の流れである。
【００７２】
ステップＳ１０２において利用者は、新しいＡＰ１０の設定ボタン１２０を押下する。ステップＳ２０２において、所定の閾値を超える時間にわたる設定ボタン１２０の押下を検出したＡＰ１０は、ＷＰＳのクライアントとしての動作を開始する。具体的には、ＡＰ１０は、ＳＴＡ側接続制御部１１４ｙを起動させることにより、ＡＰ１０をＳＴＡモードで起動させる。また、ＡＰ１０は、ＳＴＡ側ＷＰＳ処理部１１３を起動することにより、ＷＰＳ機能を実現可能とする。その後、ＳＴＡ側接続制御部１１４ｙはＡＰスキャンを実施する。
【００７３】
ステップＳ１０６においてＡＰ１０の案内部１１６は、インジケータ１７０をパターン１点灯させる。ステップＳ１０８において利用者は、ステップＳ１０６の案内に従って、ＡＰ２０の設定ボタン２２０を押下する。
【００７４】
ステップＳ２０４において、設定ボタン２２０の押下を検出したＡＰ２０は、ＷＰＳのアクセスポイントおよびレジストラとしての動作を開始する。具体的には、ＡＰ２０は、ＡＰ側接続制御部２１４を起動することにより、ＡＰ２０をＡＰモードで起動させる。また、ＡＰ２０は、ＡＰ側ＷＰＳ処理部２１３を起動することにより、ＷＰＳ機能を実現可能とする。
【００７５】
ステップＳ２０６においてＡＰ１０のＳＴＡ側接続制御部１１４ｙは、ＡＰスキャンを繰り返し行い、ＡＰモードで起動されたＡＰ２０を検出する。その後、ＡＰ１０の検出部１１５は、検出されたＡＰ２０が対応している周波数帯の検出を開始する。
【００７６】
図５は、ＡＰ２０の対応周波数帯の検出方法について説明するための説明図である。図５（Ａ）は、ＡＰ２０の対応周波数帯の検出開始後の時刻ｔ１におけるＡＰ１０およびＡＰ２０を表している。時刻ｔ１において、ＡＰ１０の検出部１１５は、ＡＰ１０の無線通信インタフェース１４０が対応している第１の周波数帯（例えば、２．４ＧＨｚ）を使用して、ＡＰ２０から発信されているビーコンの受信を試みる（図５（Ａ））。検出部１１５は、第１の周波数帯のビーコンを受信できた場合、ビーコンに含まれているＵＵＩＤ（Universally Unique IDentifier）を取得し、取得したＵＵＩＤをフラッシュＲＯＭ１６０に記憶させる。なお、ＵＵＩＤは、ビーコンの送信元がＡＰ２０であることを特定するために用いられる一意な識別子である。
【００７７】
一方、検出部１１５が第１の周波数帯のビーコンを受信できない場合、図５の検出処理を終了し、処理を図４の複製処理のステップＳ１２６に遷移させる。
【００７８】
図５（Ｂ）は、時刻ｔ１より後の時刻ｔ２におけるＡＰ１０およびＡＰ２０を表している。時刻ｔ２において、ＡＰ１０の検出部１１５は、ＡＰ１０の無線通信インタフェース１４０が対応している第１の周波数帯とは異なる第２の周波数帯（例えば、５ＧＨｚ）を使用して、ＡＰ２０から発信されているビーコンの受信を試みる（図５（Ｂ））。検出部１１５は、第２の周波数帯のビーコンを受信できた場合、ビーコンに含まれるＵＵＩＤを取得する。検出部１１５は、取得したＵＵＩＤと、時刻ｔ１においてフラッシュＲＯＭ１６０に記憶させたＵＵＩＤとを比較して、ＵＵＩＤが一致するか否かを判定する。ＵＵＩＤが一致する場合、検出部１１５は、ＡＰ２０の対応周波数帯は、時刻ｔ１で検出した第１の周波数帯（２．４ＧＨｚ）と、時刻ｔ２で検出した第２の周波数帯（５ＧＨｚ）であると特定する。
【００７９】
一方、検出部１１５が第２の周波数帯のビーコンを受信できない場合、または、ＵＵＩＤが一致しない場合、検出部１１５は、ＡＰ２０の対応周波数帯は、時刻ｔ１で検出した第１の周波数帯（２．４ＧＨｚ）であると特定する。
【００８０】
ＡＰ１０の検出部１１５は、ＡＰ１０の無線通信インタフェース１４０が３つ以上の周波数帯に対応している場合は、対応している全ての周波数帯について時刻ｔ２と同様の処理を繰り返し実行することで、ＡＰ２０の対応周波数帯を検出する。
【００８１】
このように、ＡＰ１０の検出部１１５は、ＡＰ２０（他の無線接続装置）から発信されるビーコンに基づいて、ＡＰ２０が対応している周波数帯を検出することができる。この結果、以降の複製処理において、ＳＴＡ側ＷＰＳ処理部１１３は、検出部１１５により検出された周波数帯に対して、無線通信に関する設定情報の取得を順次試みることができる。
【００８２】
図４のステップＳ２０８においてＳＴＡ側接続制御部１１４ｙは、ＡＰ２０に対して、ステップＳ２０６で検出された第１の周波数帯を使用してＷＰＳ接続を行う。この結果、ＡＰ１０とＡＰ２０との間で第１の周波数帯を使用して、上述の処理ａ１と同様の一時的な通信が確立される。ステップＳ１１６においてＡＰ１０の案内部１１６は、インジケータ１７０をパターン２点灯させる。
【００８３】
ステップＳ２１０においてＡＰ２０のＡＰ側ＷＰＳ処理部２１３は、ＡＰ１０に対して、一時的な通信に使用されている周波数帯、すなわち、第１の周波数帯の無線通信に関する設定情報を送信する。ステップＳ２１０における情報の送信は、上述の処理ａ２と同様のＷＰＳ機能を利用して行われる。
【００８４】
ステップＳ２１２においてＡＰ１０のＳＴＡ側ＷＰＳ処理部１１３は、ＡＰ２０から無線通信に関する設定情報を取得する。ＳＴＡ側ＷＰＳ処理部１１３は、取得した無線通信に関する設定情報を設定情報記憶領域１６２に保存する。ＳＴＡ側ＷＰＳ処理部１１３は、ＳＴＡ側接続制御部１１４ｙに、ＡＰ２０との間で確立した一時的な通信を切断させた後、処理を終了する。
【００８５】
ステップＳ２１４においてＡＰ２０のＡＰ側ＷＰＳ処理部２１３は、ＡＰ側接続制御部２１４に、ＡＰ１０との間で確立した一時的な通信を切断させた後、処理を終了する。
【００８６】
ステップＳ２１５においてＡＰ１０の案内部１１６は、インジケータ１７０の点灯または点滅状態をパターン４に変化させる。本実施形態では、インジケータ１７０のパターン４点灯は、利用者に対して「既存のＡＰ２０から新しいＡＰ１０への無線通信に関する設定情報の複製が部分的に終了したこと」を通知する意味を持つ。
【００８７】
なお、ＷＰＳ機能の処理ａ２において、ＡＰ２０が全ての周波数帯に対応した設定情報を送信可能な場合、ステップＳ２１２においてＳＴＡ側ＷＰＳ処理部１１３は、全ての周波数帯に対応した無線通信に関する設定情報を取得することができる。この場合、ＳＴＡ側ＷＰＳ処理部１１３は、取得した無線通信に関する設定情報を設定情報記憶領域１６２に保存した後、処理をステップＳ１２４へ遷移させる。その結果、インジケータ１７０がパターン３点灯された後、ＡＰ１０のＳＴＡモードが終了し、ＡＰ１０は、設定情報記憶領域１６２の設定情報を適用したＡＰモードで起動する。
【００８８】
ステップＳ２１６においてＡＰ１０のＳＴＡ側ＷＰＳ処理部１１３は、再びＷＰＳ機能を開始する。その後、ＳＴＡ側接続制御部１１４ｙは、ＡＰスキャンを実施する。ステップＳ２２０において利用者は、ＡＰ２０の設定ボタン２２０を再び押下する。
【００８９】
ステップＳ２２２において、設定ボタン２２０の押下を検出したＡＰ２０は、ＷＰＳのアクセスポイントおよびレジストラとしての動作を開始する。詳細はステップＳ２０４と同様である。
【００９０】
ステップＳ２２４においてＡＰ１０のＳＴＡ側接続制御部１１４ｙは、ＡＰスキャンを繰り返し行い、ＡＰモードで起動されたＡＰ２０を検出する。その後、ＳＴＡ側接続制御部１１４ｙは、ＡＰ２０に対して、ステップＳ２０６で検出されたＡＰ２０の対応周波数帯のうち、ステップＳ２０８でのＷＰＳ接続に使用した周波数帯とは異なる周波数帯（すなわち、第２の周波数帯）を使用してＷＰＳ接続を行う。この結果、ＡＰ１０とＡＰ２０との間で第２の周波数帯を使用して、上述の処理ａ１と同様の一時的な通信が確立される。ステップＳ２２６においてＡＰ１０の案内部１１６は、インジケータ１７０をパターン２点灯させる。詳細は図３のステップＳ１１６と同様である。
【００９１】
ステップＳ２２８においてＡＰ２０のＡＰ側ＷＰＳ処理部２１３は、ＡＰ１０に対して、一時的な通信に使用されている周波数帯、すなわち、第２の周波数帯の無線通信に関する設定情報を送信する。ステップＳ２２８における情報の送信は、上述の処理ａ２と同様のＷＰＳ機能を利用して行われる。
【００９２】
ステップＳ２３０においてＡＰ１０のＳＴＡ側ＷＰＳ処理部１１３は、ＡＰ２０から無線通信に関する設定情報を取得する。ＳＴＡ側ＷＰＳ処理部１１３は、取得した無線通信に関する設定情報を、ステップＳ２１２で取得した第１の周波数帯の設定情報とは区別して、設定情報記憶領域１６２に保存する。ＳＴＡ側ＷＰＳ処理部１１３は、ＳＴＡ側接続制御部１１４ｙに、ＡＰ２０との間で確立した一時的な通信を切断させた後、処理を終了する。
【００９３】
なお、ステップＳ２０６で検出されたＡＰ２０の対応周波数帯が３つ以上ある場合、ＡＰ１０が全ての周波数帯の無線通信に関する設定情報を取得するまで、上述のステップＳ２１６〜Ｓ２３０を繰り返し実行する。この結果、ステップＳ２０６で検出されたＡＰ２０の対応周波数帯がＮ個であれば、ステップＳ２１６〜Ｓ２３０の処理が（Ｎ−１）回繰り返される。
【００９４】
全ての周波数帯の設定情報を取得後、ステップＳ２３２においてＡＰ２０のＡＰ側ＷＰＳ処理部２１３は、ＡＰ側接続制御部２１４に、ＡＰ１０との間で確立した一時的な通信を切断させた後、処理を終了する。
【００９５】
ステップＳ１２４においてＡＰ１０の案内部１１６は、インジケータ１７０をパターン３点灯させる。ステップＳ１２６においてＡＰ１０は、ＡＰ１０のＳＴＡモードを終了し、ステップＳ１２８においてＡＰ１０は、設定情報記憶領域１６２の設定情報を適用したＡＰモードで起動する。
【００９６】
このように、ＷＰＳを利用した複製処理では、新しいＡＰ１０のＳＴＡ側ＷＰＳ処理部１１３（取得部）は、既存のＡＰ２０（他の無線接続装置）が対応している複数の周波数帯の無線通信に関する設定情報を、第１の周波数帯の設定情報、第２の周波数帯の設定情報、というように、順次取得する。このため、ＡＰ２０に設定されている設定情報を、ＡＰ２０の対応周波数帯ごとに分割して取得することができる。なお、上記処理におけるインジケータの点灯パターン１〜４は、相互に識別可能な態様である限り、任意の色および点灯パターンの組み合わせを採用可能である。
【００９７】
さらに、ＷＰＳを利用した複製処理のステップＳ２０８、Ｓ２２４によれば、ＳＴＡ側接続制御部１１４ｙ（接続制御部）は、新しいＡＰ１０（無線接続装置）が既存のＡＰ２０（他の無線接続装置）に対してＷＰＳ接続する際に、ＳＴＡ側ＷＰＳ処理部１１３（取得部）が無線通信に関する設定情報を取得しようとする周波数帯を使用して接続する。このため、ＳＴＡ側ＷＰＳ処理部１１３は、ＡＰ２０が提供する方式（ＷＰＳ機能）を利用して、簡便に、無線通信に関する設定情報の取得を行うことができる。
【００９８】
さらに、ＷＰＳを利用した複製処理のステップＳ２１８によれば、新しいＡＰ１０の案内部１１６は、一の周波数帯（図４の例では第１の周波数帯）の無線通信に関する設定情報の取得が終了した後、既存のＡＰ２０（他の無線接続装置）が対応する複数の周波数帯の無線通信に関する設定情報の中で、未だ取得がされていない設定情報がある場合に、その旨を利用者へ案内することができる。この結果、利用者におけるユーザビリティを向上することができる。また、ＡＰ２０が対応している複数の周波数帯についての無線通信に関する設定情報を順次取得する構成、換言すれば、ＷＰＳを利用した複製処理を実現する構成における、設定情報の取得漏れの発生を抑制することができる。
【００９９】
以上のようにして、ＡＯＳＳを利用した複製処理（図３）、または、ＷＰＳを利用した複製処理（図４）が完了した後は、ネットワークシステム１の構成は図１（Ｂ）に示す構成へと変化し、利用者が使用する端末３０と、新しいＡＰ１０との無線通信が可能となる。
【０１００】
なお、ＡＯＳＳを利用した複製処理（図３）、または、ＷＰＳを利用した複製処理（図４）が完了した後において、新しいＡＰ１０または既存のＡＰ２０の少なくともいずれか一方に対して、以下に説明するｂ１〜ｂ７のいずれかの処理を実行させてもよい。なお、処理ｂ１〜ｂ６は組み合わせて実行されてもよい。
【０１０１】
（ｂ１）ＡＰの電源を自動的に落とす。
（ｂ２）ＡＰの電源が落とされるまでの間、ビーコンの送信を停止する。
（ｂ３）ＡＰの電源が落とされるまでの間、他のＡＰや無線端末からの問い合わせ（プローブ要求等）に基づく処理を停止する。
（ｂ４）ＡＰの電源が落とされるまでの間、他のＡＰや無線端末からの接続要求（アソシエーション要求、認証要求）に基づく処理を停止する。
（ｂ５）ＡＰのインジケータや液晶画面等の表示装置を用いて、同一の無線通信に関する設定に基づいて動作しているＡＰが複数存在する旨の警告を表示する。
（ｂ６）ＡＰに対して予め登録されているメールアドレスに対して、同一の無線通信に関する設定に基づいて動作しているＡＰが複数存在する旨の警告文を送信する。
（ｂ７）ＡＰスキャンを実施し、自身と同じＳＳＩＤのビーコンを発信している他のＡＰを検出した場合に、上記処理ｂ１〜ｂ６のいずれかの処理を実行する。
【０１０２】
このように、処理ｂ１〜ｂ７によれば、ネットワークシステム１内において同一の無線通信に関する設定情報を持つ２つのアクセスポイント（具体的には、ＡＰ１０と、ＡＰ２０）が存在することに伴う問題の発生を回避することができる。
【０１０３】
さらに、ＡＯＳＳを利用した複製処理（図３）、または、ＷＰＳを利用した複製処理（図４）が完了した後において、新しいＡＰ１０に対して、以下に説明するｃ１〜ｃ３のいずれかの処理を実行させてもよい。
【０１０４】
（ｃ１）ＡＰ１０は、既存のＡＰ２０のセキュリティ設定の内容（例えば、無線通信における認証／暗号化方式の有無、または、種類）が一定のセキュリティレベルよりも低いと判断した場合、設定情報記憶領域１６２に保存した無線通信に関する設定情報を、利用者からの指示があるまで有効にしない。利用者からの指示は、例えば、ＨＴＴＰ（HyperText Transfer Protocol）等の手段により提供されるＡＰ１０の設定画面を介して与えられてもよい。このようにすれば、ＡＰ１０の利用者は、既存のＡＰ２０から複製した無線通信に関する設定情報のセキュリティレベルを確認した上で、設定情報を有効にすることができる。
（ｃ２）既存のＡＰ２０のセキュリティ設定の内容（例えば、無線通信における認証／暗号化方式の有無、または、種類）が一定のセキュリティレベルよりも低いと判断した場合であっても、ネットワークシステム１に属する無線端末（例えば端末３０）において対応可能な認証／暗号化方式の種類が、上記「一定のセキュリティレベル」に到達しない場合、ＡＰ１０は、利用者からの指示に依らずとも、設定情報記憶領域１６２に保存した無線通信に関する設定情報を、即時有効にしてもよい。
（ｃ３）ＡＰ１０は、図３のステップＳ１２０、または、図４のステップＳ２１２、Ｓ２３０において、既存のＡＰ２０のセキュリティ設定の内容（例えば、無線通信における認証／暗号化方式の有無、または、種類）が一定のセキュリティレベルよりも低いと判断した場合に、当該無線通信に関する設定情報の設定情報記憶領域１６２への保存を省略してもよい。
【０１０５】
このように、処理ｃ１〜ｃ３によれば、ＡＰ１０は、ＡＰ２０のセキュリティに関する設定内容に応じて、取得された設定情報の記憶と、取得された設定情報を用いた起動と、のうちの少なくともいずれか一方を省略することができる。このため、ＡＰ２０のセキュリティが低い場合などに、当該ＡＰ２０の設定情報がＡＰ１０にそのまま適用されることを抑制することができる。
【０１０６】
以上のように、第１実施形態によれば、ＳＴＡ側ＡＯＳＳ処理部１１２またはＳＴＡ側ＷＰＳ処理部１１３（取得部）は、既存のＡＰ２０（他の無線接続装置）に対する無線通信のクライアントとしての接続（ＡＯＳＳ接続、ＷＰＳ接続）を介して、ＡＰ２０が提供する無線通信の設定を実施する方式（ＡＯＳＳ機能、ＷＰＳ機能）に基づいて、簡便に、ＡＰ２０に設定されている無線通信に関する設定情報を取得することができる。また、取得された無線通信に関する設定情報は、新しいＡＰ１０（無線接続装置）に予め設定されている無線通信に関する設定情報、すなわち、プリセット設定情報１６１に記憶されている設定情報とは区別して記憶される。このため、上述の処理ｂ１〜ｂ７等の方法によって、既存のＡＰ２０から新しいＡＰ１０への置換のタイミングを制御することが可能となる。このため、既存のＡＰ２０から新しいＡＰ１０への置換がなされた後における誤動作のリスクを低減することができる。さらに、ＳＴＡ側ＡＯＳＳ処理部１１２またはＳＴＡ側ＷＰＳ処理部１１３（取得部）によって取得された無線通信に関する設定情報は、ＡＰ１０に予め設定されている設定情報（プリセット設定情報１６１）とは区別して記憶される。このため、ＡＰ２０から無線通信に関する設定情報を取得する前後において、一貫して、ＡＰ１０に予め設定されている設定情報（プリセット設定情報１６１）を維持することができる。これらの結果、ＡＰ２０に設定されている無線通信に関する設定情報を、外部装置や特別な装置を必要とせずに複製することが可能なＡＰ１０であって、ＡＰ２０からＡＰ１０への置換がなされた後における誤動作のリスクを低減可能なＡＰ１０を提供することができる。
【０１０７】
さらに、第１実施形態によれば、ＡＰ１０の案内部１１６は、ＡＰ１０（無線接続装置）の利用者に対して、接続（ＡＯＳＳ接続、ＷＰＳ接続）のための案内と、無線通信に関する設定情報の取得のための案内と、のうちの少なくともいずれか一方を実施することができる。この結果、利用者におけるユーザビリティを向上させることができる。さらに、第１実施形態（図３のステップＳ１０４、図４のステップＳ２０２）によれば、利用者は、ＡＰ１０（無線接続装置）に直接触れる形態を利用して、ＡＰ１０を既存のＡＰ２０（他の無線接続装置）に接続させることができる。さらに、第１実施形態（図３、図４のステップＳ１２８）によれば、ＡＰ１０（無線接続装置）は、無線通信に関する設定情報の取得が終了後、自動的に、取得された設定情報を用いてアクセスポイントとして起動することができる。
【０１０８】
Ｂ．第２実施形態：
本発明の第２実施形態では、第１実施形態で説明した複製処理、すなわち、既存のＡＰに設定されている「無線通信に関する設定情報」を新しいＡＰへ複製する複製処理において、さらに、既存のＡＰに設定されている「他の設定情報」を新しいＡＰへ複製することが可能な構成について説明する。以下では、第１実施形態と異なる構成および動作を有する部分についてのみ説明する。なお、図中において第１実施形態と同様の構成部分については先に説明した第１実施形態と同様の符号を付し、その詳細な説明を省略する。
【０１０９】
Ｂ−１．システムの概略構成：
図６は、第２実施形態におけるネットワークシステムの概略構成の変化を示す説明図である。図１に示した第１実施形態との主たる違いは、ＡＰ１０に代えてＡＰ１０ａを備える点である。本実施形態では、現在運用中である既存のＡＰ２０を、新しいＡＰ１０ａへ置換する場面を想定する。
【０１１０】
図６（Ａ）は、既存のＡＰ２０から新しいＡＰ１０ａへ置換する前のネットワークシステム１ａの概略構成を表している。図６（Ａ）の構成は、図１で説明した第１実施形態と同様である。本実施形態の複製処理では、図６（Ａ）に示す構成において、既存のＡＰ２０に設定されている「無線通信に関する設定情報」と、「他の設定情報」との両方を、自動的に新しいＡＰ１０ａへ複製することができる。複製の完了後、既存のＡＰ２０から新しいＡＰ１０ａへの置換が行われる。図６（Ｂ）は、既存のＡＰ２０から新しいＡＰ１０ａへ置換した後のネットワークシステム１ａの概略構成を表している。置換完了後は、ネットワークシステム１ａの構成は図６（Ｂ）に示す構成へと変化し、利用者の端末３０は新しいＡＰ１０ａとの無線通信、および、新しいＡＰ１０ａを介したインターネットＩＮＴへの通信が可能となる。
【０１１１】
Ｂ−２．ＡＰの概略構成：
図７は、ＡＰ１０ａとＡＰ２０との構成を機能的に示すブロック図である。図７（Ａ）はＡＰ１０ａの構成を示し、図７（Ｂ）はＡＰ２０の構成を示している。図２に示した第１実施形態との違いは、ＡＰ１０ａが、ＣＰＵ１１０に代えてＣＰＵ１１０ａを備える点と、フラッシュＲＯＭ１６０に代えてフラッシュＲＯＭ１６０ａを備える点である。
【０１１２】
ＣＰＵ１１０ａは、ＳＴＡ側ＡＯＳＳ処理部１１２に代えてＳＴＡ側ＡＯＳＳ処理部１１２ａを備え、ＳＴＡ側ＷＰＳ処理部１１３に代えてＳＴＡ側ＷＰＳ処理部１１３ａを備えている。ＳＴＡ側ＡＯＳＳ処理部１１２ａは、ＡＯＳＳを利用した複製処理の処理内容が、図３に示した第１実施形態とは異なる。ＳＴＡ側ＷＰＳ処理部１１３ａは、ＷＰＳを利用した複製処理の処理内容が、図４に示した第１実施形態とは異なる。
【０１１３】
フラッシュＲＯＭ１６０ａは、プリセット設定情報１６１と、設定情報記憶領域１６２とに加えてさらに、認証情報１６３と、他の設定情報記憶領域１６４と、を備えている。認証情報１６３には、第２実施形態の複製処理において、ＡＰ１０がＡＰ２０から認証を受ける際に使用される認証情報の候補が予め記憶されている。認証情報の候補とは、一般的によく用いられるユーザＩＤとパスワードとの組み合わせである。認証情報１６３には、これらの認証情報の候補が１パターンまたは複数パターン記憶されている。他の設定情報記憶領域１６４は、複製処理においてＡＰ２０から取得した他の設定情報を記憶させるための領域である。
【０１１４】
Ｂ−３．複製処理：
Ｂ−３−１．ＡＯＳＳを利用した複製処理：
第２実施形態におけるＡＯＳＳを利用した複製処理において、ＡＰ１０ａは、第１実施形態のＡＯＳＳを利用した複製処理（図３）のステップＳ１２０の「一時的な通信の切断」の終了後に、以降に説明する他の設定情報の取得処理を実行する。他の設定情報の取得処理の終了後、ＡＰ１０ａは、図３のステップＳ１２４に戻って処理を継続する。
【０１１５】
Ｂ−３−２．ＷＰＳを利用した複製処理：
第２実施形態におけるＷＰＳを利用した複製処理において、ＡＰ１０ａは、第１実施形態のＷＰＳを利用した複製処理（図４）のステップＳ２３０の「一時的な通信の切断」の終了後に、以降に説明する他の設定情報の取得処理を実行する。他の設定情報の取得処理の終了後、ＡＰ１０ａは、図４のステップＳ１２４に戻って処理を継続する。
【０１１６】
Ｂ−３−３．他の設定情報の取得処理：
図８は、他の設定情報の取得処理の手順を示すシーケンス図である。他の設定情報の取得処理の手順は、ＡＯＳＳを利用した複製処理と、ＷＰＳを利用した複製処理との両方に共通である。このため、以降では、ＡＯＳＳを利用した複製処理に適用された場合を例示して説明する。ＷＰＳを利用した複製処理において本処理を適用する場合は、文中の「ＳＴＡ側ＡＯＳＳ処理部１１２ａ」との記載を「ＳＴＡ側ＷＰＳ処理部１１３ａ」との記載に読み替える。
【０１１７】
ステップＳ３０２においてＡＰ１０ａのＳＴＡ側接続制御部１１４ｙは、複製処理において取得した無線通信に関する設定情報を使用して、ＡＰ２０へ接続する。ＡＰ１０ａのＳＴＡ側ＡＯＳＳ処理部１１２ａは、ＡＰ２０に対して、他の設定情報の要求を送信する。
【０１１８】
ステップＳ３０４においてＡＰ２０の認証処理部２１５は、ＡＰ１０ａの正当性および権限を認証するために、認証情報を要求する。
【０１１９】
ステップＳ３０６においてＡＰ１０ａのＳＴＡ側ＡＯＳＳ処理部１１２ａは、認証情報１６３に記憶されている一の認証情報の候補（ユーザＩＤ、パスワード）を取得する。ステップＳ３０８においてＳＴＡ側ＡＯＳＳ処理部１１２ａは、取得した認証情報の候補をＡＰ２０へ送信する。
【０１２０】
ステップＳ３１０においてＡＰ２０の認証処理部２１５は、受信した認証情報の候補を用いて、ＡＰ１０ａに対する認証処理を実行する。具体的には、認証処理部２１５は、受信した認証情報の候補が、予めフラッシュＲＯＭ２６０に記憶されている認証情報と一致するか否かを判定することで認証を行う。ステップＳ３１１においてＡＰ２０の認証処理部２１５は、認証処理の結果（成功／失敗）をＡＰ１０ａへ送信する。
【０１２１】
認証処理の結果が「成功」であった場合、ステップＳ３１２においてＡＰ１０ａのＳＴＡ側ＡＯＳＳ処理部１１２ａは、ＡＰ２０に対して、他の設定情報の要求を送信する。一方、認証処理の結果が「失敗」であった場合、ＡＰ１０ａのＳＴＡ側ＡＯＳＳ処理部１１２ａは、処理をステップＳ３０８へ遷移させ、認証情報１６３に記憶されている他の認証情報の候補があれば取得し、ステップＳ３０８以降の処理を継続する。
【０１２２】
ステップＳ３１４において認証処理部２１５は、他の設定情報２６２の内容をＡＰ１０ａへ送信する。
【０１２３】
ステップＳ３１６においてＡＰ１０ａのＳＴＡ側ＡＯＳＳ処理部１１２ａは、ＡＰ２０から他の設定情報を取得する。ＳＴＡ側ＡＯＳＳ処理部１１２ａは、取得した他の設定情報を他の設定情報記憶領域１６４に保存し、処理を終了する。
【０１２４】
なお、ＡＰ１０ａは、他の設定情報記憶領域１６４に保存した設定情報を、ＡＯＳＳを利用した複製処理（図３）またはＷＰＳを利用した複製処理（図４）のステップＳ１２８において、即時有効にしてもよい。また、ＡＰ１０ａは、利用者に認証のための認証情報を要求し、他の設定情報記憶領域１６４に保存した設定情報を、利用者から正しい認証情報の入力を取得した後に有効にしてもよい。そうすれば、ＡＰ１０ａにおけるセキュリティを向上させることができる。
【０１２５】
以上のように、第２実施形態によれば、上記第１実施形態の効果に加えて、さらに次の効果を奏する。ＳＴＡ側ＡＯＳＳ処理部１１２ａまたはＳＴＡ側ＷＰＳ処理部１１３ａ（取得部）は、フラッシュＲＯＭ１６０（記憶部）の認証情報１６３に予め記憶されている認証情報の候補（ユーザＩＤとパスワードの組）を用いて、ＡＰ２０（他の無線接続装置）から、無線通信に関する設定情報以外の、他の設定情報を取得することができる。この結果、無線通信に関する設定情報だけでなく、他の設定情報をも複製可能なＡＰ１０ａ（無線接続装置）を提供することが可能となり、使用者におけるユーザビリティをより一層向上させることができる。
【０１２６】
Ｃ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１２７】
・変形例１：
上記実施形態では、ネットワークシステムの一例を挙げた。しかし、上記実施形態におけるネットワークシステムの構成はあくまで一例であり、種々の変更が可能である。例えば、構成要素の一部を省略したり、更なる構成要素を付加したり、構成要素の一部を変更したりする変形が可能である。
【０１２８】
例えば、ネットワークシステムは、例えば、ルータ、スイッチ、モデム、ハブ等のネットワーク通信機器や、パーソナルコンピュータ、携帯電話、ＰＤＡ（Personal Digital Assistants）等のモバイル機器や、デジタルカメラ、プリンタ、ネットワークディスプレイ、スキャナ等の画像入出力機器や、オーディオ、テレビ等のＡＶ機器や、冷蔵庫、空調機、テレビ等の家電製品や、ＮＡＳ（Network Attached Storage）等の他の装置を備える構成としてもよい。
【０１２９】
・変形例２：
上記実施形態では、無線接続装置と、他の無線接続装置との構成の一例を挙げた。しかし、上記実施形態における構成はあくまで一例であり、種々の変更が可能である。例えば、構成要素の一部を省略したり、更なる構成要素を付加したり、構成要素の一部を変更したりする変形が可能である。
【０１３０】
例えば、無線接続装置および他の無線接続装置に設けられる設定ボタンは、利用者が直接触れる形態で、あるいは、無線接続装置近傍からの近距離通信の形態で、あるいは、無線接続装置が提供する情報コードをクライアントに内蔵されたカメラで撮影する形態で、無線接続装置に処理の開始指示を与えられる入力手段として構成されている限りにおいて、種々の態様を採用することができる。無線接続装置がディスプレイを備えている場合には、ＧＵＩ（Graphical User Interface）により実現されてもよい。無線接続装置と無線通信可能なモバイル機器（スマートフォン等）のＧＵＩを利用して実現されてもよい。赤外線通信や、接触型または非接触型のＩＣカードを利用して実現されてもよい。ＱＲコード（登録商標）やバーコード、ホログラム等の情報コードを利用して実現されてもよい。このようにすれば、悪意のある第三者が、利用者の意図に反して無線接続装置に複製処理の開始指示を与えることを抑制することができ、通信情報や暗号化情報が漏洩することを抑制することができる。
【０１３１】
例えば、無線通信インタフェースが対応している周波数帯は、３つ以上であってもよい。対応している周波数帯として２．４ＧＨｚと、５ＧＨｚとを例示したが、これらに限られない。例えば、無線通信インタフェースは、６０ＧＨｚなど、その他の周波数帯に対応していてもよい。
【０１３２】
例えば、無線接続装置のフラッシュＲＯＭに記憶されている認証情報の候補は、工場出荷時において予め設定されたプリセット値でもよいし、複製処理に先立って予め利用者から取得して記憶されている値でもよい。
【０１３３】
例えば、無線接続装置や他の無線接続装置は、ルータとしての機能を持たなくてもよい。また、例えば、他の無線接続装置において、ＡＰ側ＡＯＳＳ処理部と、ＡＰ側ＷＰＳ処理部とは、いずれか一方を省略してもよい。また、例えば、無線接続装置と他の無線接続装置とにおいて、有線通信インタフェースは省略してもよい。
【０１３４】
例えば、無線接続装置と他の無線接続装置とにおいて、フラッシュＲＯＭは異なる記憶媒体で構成されていてもよい。例えば、無線接続装置と他の無線接続装置とは、フラッシュＲＯＭに代えて、ＵＳＢメモリやＵＳＢハードディスク等の着脱可能な記憶媒体を備えていてもよい。また、例えば、上記実施形態においてフラッシュＲＯＭに記憶されると説明した情報は、複数の記憶媒体に分散されて記憶されていてもよい。
【０１３５】
・変形例３：
上記実施形態では、複製処理（ＡＯＳＳを利用した複製処理、ＷＰＳを利用した複製処理）の一例を示した。しかし、上記実施形態における処理の手順はあくまで一例であり、種々の変形が可能である。例えば、一部のステップを省略してもよいし、更なる他のステップを追加してもよい。また、実行されるステップの順序を変更してもよい。
【０１３６】
例えば、複製処理に関する案内のうち、無線接続装置と他の無線接続装置との間の接続のための案内と、無線接続装置が無線通信に関する設定情報を取得するための案内と、のいずれか一方、または、両方は、省略してもよい。
【０１３７】
例えば、インジケータに代えて、または、インジケータと共に、音声や、液晶画面等の表示装置を用いて、複製処理に関する案内を実施してもよい。音声や、液晶画面等の表示装置を用いた場合、上述の点灯パターン１〜４に代えて、相互に識別可能な態様とされた音声パターン１〜４、または、相互に識別可能な態様とされた表示パターン１〜４を採用する。
【０１３８】
例えば、上記実施形態では、色分けと、点灯および点滅の使い分けと、を組み合わせて、複製処理に関する案内を実施した。しかし、色分けまたは点灯および点滅の使い分けのいずれか一方を用いて、複製処理に関する案内を実施してもよい。色分けのみで案内を行う場合は、例えば、３色以上の異なる色合いを表現することで、複製処理に関する案内を実現することができる。点灯および点滅の使い分けのみで案内を行う場合は、例えば、点滅周期を異ならせることで、複製処理に関する案内を実現することができる。
【０１３９】
例えば、上記実施形態では、他の無線接続装置が提供する方式であって、無線通信のクライアントとして接続されている装置に対して無線通信に関する設定情報を送信することで、クライアントへの無線通信の設定を実施する方式の例として、ＡＯＳＳとＷＰＳとを例示した。しかし、無線接続装置が実施する複製処理においては、ＡＯＳＳやＷＰＳ以外の方式を利用することも可能である。
【０１４０】
例えば、複製処理を開始させるために設定ボタンを押下する対象となる装置を、無線接続装置と、他の無線接続装置とのいずれかとしてもよい。この場合、設定ボタンの押下を検出した側の装置（一方の装置）が、他方の装置に対して、複製処理の開始要求を送信することで、無線接続装置と、他の無線接続装置との両装置において複製処理を開始させることができる。複製処理の開始要求は、一方の装置から他方の装置へ送信される接続要求（アソシエーション要求、認証要求）の特定領域に含まれていてもよいし、単独の要求であってもよい。
【０１４１】
・変形例４：
上記実施形態では、他の設定情報の取得処理の一例を示した。しかし、上記実施形態における処理の手順はあくまで一例であり、種々の変形が可能である。例えば、一部のステップを省略してもよいし、更なる他のステップを追加してもよい。また、実行されるステップの順序を変更してもよい。
【０１４２】
例えば、認証情報として、ユーザＩＤとパスワードの組み合わせに代えて、無線接続装置の販売時に添付（製品パッケージに同梱または記載等）されているＩＤカードに記載のＰＩＮ番号の、一部または全部を利用してもよい。なお、ＰＩＮ番号とは、無線接続装置の正当な利用者であることを判定するために用いられる暗証番号を示す文字列である。また、認証情報として、ユーザＩＤとパスワードの組み合わせと、ＰＩＮ番号の一部または全部と、の両方を併用してもよい。さらに、アクセスポイントがクライアント装置に対して無線通信に関する設定情報を送信する際に、アクセスポイントの情報をクライアント装置へ通知する態様で認証情報の受け渡しをしてもよい。この場合、認証情報に対して一時的に有効であるという制限を付してもよい。
【０１４３】
・変形例５：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１４４】
１、１ａ…ネットワークシステム、１０…無線接続装置（ＡＰ）、２０…他の無線接続装置（ＡＰ）、３０…端末、１１０、１１０ａ…ＣＰＵ、１１１…中継処理部、１１２、１１２ａ…ＳＴＡ側ＡＯＳＳ処理部、１１３、１１３ａ…ＳＴＡ側ＷＰＳ処理部、１１４…接続制御部、１１４ｘ…ＡＰ側接続制御部、１１４ｙ…ＳＴＡ側接続制御部、１１５…検出部、１１６…案内部、１２０…設定ボタン、１４０…無線通信インタフェース、１５０…有線通信インタフェース、１６０、１６０ａ…フラッシュＲＯＭ、１６１…プリセット設定情報、１６２…設定情報記憶領域、１６３…認証情報、１６４…他の設定情報記憶領域、１７０…インジケータ、２１０…ＣＰＵ、２１１…中継処理部、２１２…ＡＰ側ＡＯＳＳ処理部、２１３…ＡＰ側ＷＰＳ処理部、２１４…ＡＰ側接続制御部、２１５…認証処理部、２２０…設定ボタン、２４０…無線通信インタフェース、２５０…有線通信インタフェース、２６０…フラッシュＲＯＭ、２６１…設定情報、２６２…他の設定情報、ＩＮＴ…インターネット
【図１】
0005862652.tif 000002
【図２】
0005862652.tif 000003
【図３】
0005862652.tif 000004
【図４】
0005862652.tif 000005
【図５】
0005862652.tif 000006
【図６】
0005862652.tif 000007
【図７】
0005862652.tif 000008
【図８】
0005862652.tif 000009